(57)【特許請求の範囲】
【請求項１】
赤外線検出部と、
赤外線放射を前記赤外線検出部に向けるように配置された複数の光学素子と、
前記複数の光学素子のうちの第１の光学素子を部分的にマスクすることで、前記第１の光学素子の第１部分がマスクされると共に前記第１の光学素子の第２部分がマスクされず、前記第１の光学素子を経て前記赤外線検出部に向けられる赤外線放射を減衰させるように配置されたマスキング部と、を備え、
前記第１の光学素子は、前記第１の光学素子に関連付けられる検出ゾーンが前記マスキング部の存否の影響を受けないものであり、
前記第１の光学素子の前記第１部分は、赤外線放射に不透明な前記マスキング部の一部によりマスクされる、赤外線検出装置。
【請求項２】
前記光学素子はそれぞれフレネルファセットである、請求項１に記載の赤外線検出装置。
【請求項３】
前記マスキング部は、前記第１の光学素子からの、実質的に垂直な、第１及び第２の方向それぞれに沿って位置付けられた光学素子を部分的にマスクする、請求項１又は２に記載の赤外線検出装置。
【請求項４】
前記マスキング部は、使用時には、前記第１の光学素子の検出ゾーンよりも下方の検出ゾーンを有するように配置された下方光学素子を部分的にマスクする、請求項１から３の何れか一項に記載の赤外線検出装置。
【請求項５】
前記マスキング部による減衰は、前記下方光学素子の検出ゾーンからの赤外線に対してよりも、前記第１の光学素子の検出ゾーンからの赤外線に対しての方が小さい、請求項４に記載の赤外線検出装置。
【請求項６】
前記第１の光学素子の前記マスキング部によりマスクされる割合は、前記下方光学素子の前記マスキング部によりマスクされる割合よりも小さい、請求項４又は５に記載の赤外線検出装置。
【請求項７】
使用時には、少なくとも１つの上方光学素子は前記第１の光学素子の検出ゾーンよりも上方に検出ゾーンを有し、当該上方光学素子は前記マスキング部によりブロックされない、請求項１から６の何れか一項に記載の赤外線検出装置。
【請求項８】
少なくとも１つの光学素子は前記マスキング部により完全にマスクされる、請求項１から７の何れか一項に記載の赤外線検出装置。
【請求項９】
前記マスキング部は取り外し可能である、請求項１から８の何れか一項に記載の赤外線検出装置。
【請求項１０】
請求項１から９の何れか一項に記載の赤外線検出装置に使用するためのマスキング部。
【請求項１１】
請求項１０に記載のマスキング部を複数備え、前記マスキング部は、異なる光学素子をマスクする、及び／又は前記光学素子を異なる割合でマスクすることで、相互に異なるように配置される、キット。
【請求項１２】
赤外線検出部と、各検出ゾーンからの赤外線放射を前記赤外線検出部に向けるように配置された複数の光学素子と、を有する赤外線検出装置の改良方法であって、
マスキング部を設置することで前記複数の光学素子のうちの第１の光学素子を部分的にマスクして、前記第１の光学素子の第１部分が赤外線放射に不透明な前記マスキング部の一部によりマスクされるようにするステップを含み、
前記第１の光学素子は、前記第１の光学素子に関連付けられる前記検出ゾーンが前記マスキング部の存否の影響を受けないものである、赤外線検出装置の改良方法。
【請求項１３】
前記第１の光学素子を部分的にマスクする前に以前のマスキング部を取り除くステップを更に含む、請求項１２に記載の方法。
【請求項１４】
前記マスキング部は、前記第１の光学素子のマスクされていない部分に対応するスロット形状の孔を有する、請求項１に記載の赤外線検出装置。
【請求項１５】
前記マスキング部は、前記第１の光学素子と実質的に接触している、請求項１に記載の赤外線検出装置。
【発明の詳細な説明】
【技術分野】
【０００１】
この発明は、赤外線放射を検出するための装置、及びこのような検出器とともに用いるためのマスキング部に関する。
【背景技術】
【０００２】
赤外線検出器はよく知られており、侵入監視など様々な用途に用いられている。侵入監視では、受動型赤外線（ＰＩＲ）検出器を用いて、侵入者から放射される赤外線放射を検出することが知られている。典型的には、ＰＩＲ検出器は、赤外線検出部と、保護領域からの赤外線放射を検出部へ向ける光学系とを含む。
【０００３】
典型的には、侵入検出システムにおける赤外線検出器は、侵入者とペット（又は他の小動物）とを正確に区別することができず、望ましくない誤ったアラームをもたらす。この問題に対処するために、赤外線検出器の光学系は、床に近い検出ゾーンからの赤外線放射が検出部に到達することを阻止するためにブロックするのがよい。多くのペット及び小動物は、床からより上方の領域で検出可能であることが見込まれる人間の侵入者とは対照的に、下方の検出ゾーンに留まることが予想される。
【０００４】
いくつかの赤外線侵入検出システムは検出のための閾値を増加させている。これは、赤外線検出器からの信号が、侵入者が検出されたとみなされる前に超えなければならないレベルとするのがよく、それによりペットに起因する信号が侵入検出とみなされるには不十分となる。これは、検出器からの信号処理により電子的に達成できる。いくつかの赤外線侵入検出システムは、例えば追加のセンサー（例えば、ビデオカメラ）からの入力に基づくアルゴリズムを用いることで、人間と動物とを区別している。
【発明の概要】
【０００５】
本発明の一態様によると、赤外線検出部と、赤外線放射を前記赤外線検出部に向けるように配置された複数の光学素子と、前記複数の光学素子のうちの第１の光学素子を部分的にマスクすることで、前記第１の光学素子の第１部分がマスクされると共に前記第１の光学素子の第２部分がマスクされず、前記第１の光学素子を経て前記赤外線検出部に向けられる赤外線放射を減衰させるように配置されたマスキング部と、を備える赤外線検出装置が提供される。
【０００６】
前記第１光学素子の前記第１部分は、赤外線放射に不透明な前記マスキング部の一部によりマスクされてもよい。各光学素子はフレネルファセットでもよい。前記光学素子は、各光学素子に関連付けられる検出ゾーンがマスキング部の存否の影響を受けないようなものとするのがよい。前記マスキング部は、前記第１光学素子からの、実質的に垂直な、第１及び第２の方向それぞれに沿って位置付けられた光学素子を部分的にマスクしてもよい。
【０００７】
前記マスキング部は、使用時には、前記第１光学素子の検出ゾーンよりも下方の検出ゾーンを有するように配置された下方光学素子を部分的にマスクしてもよい。前記マスキング部による減衰は、前記下方光学素子の検出ゾーンからの赤外線に対してよりも、前記第１光学素子の検出ゾーンからの赤外線に対しての方が小さくてもよい。前記第１光学素子の前記マスキング部によりマスクされる割合は、前記下方光学素子の前記マスキング部によりマスクされる割合よりも小さくてもよい。
【０００８】
赤外線検出装置は、使用時には、少なくとも１つの上方光学素子は前記第１光学素子の検出ゾーンよりも上方の検出ゾーンを有し、当該上方光学素子は前記マスキング部によりブロックされなくてもよい。
【０００９】
少なくとも１つの光学素子は前記マスキング部により完全にマスクされてもよい。前記マスキング部は取り外し可能であってもよい。
【００１０】
本発明の一態様によると、前記赤外線検出装置に使用するためのマスキング部が提供される。
【００１１】
更なる態様によると、前記マスキング部を複数備え、前記マスキング部は、異なる光学素子をマスクする、及び／又は前記光学素子を異なる割合でマスクすることで、相互に異なるように配置される、キットが提供される。
【００１２】
本発明の一態様によると、赤外線検出部と、各検出ゾーンからの赤外線放射を前記赤外線検出部に向けるように配置された複数の光学素子と、を有する赤外線検出装置の改良方法であって、マスキング部を設置することで前記複数の光学素子のうちの第１光学素子を部分的にマスクして、前記第１光学素子の第１部分が赤外線放射に不透明な前記挿入物（マスキング部）の一部によりマスクされるようにするステップを含む、赤外線検出装置の改良方法が提供される。この方法は、前記第１光学素子を部分的にマスクする前に以前のマスキング部を取り除くステップを更に含んでもよい。
【００１３】
本発明の態様及び実施形態は、既存の検出器を改良することを目的とする。侵入検出システムで用いるいくつかの実施形態は、誤ったアラームを減少させることを目的とする。いくつかの実施形態は、ペットや他の小動物を侵入者として誤検出することにより生成される誤ったアラームを減少させることを目的とする。
【図面の簡単な説明】
【００１４】
本発明の実施形態は、以下の添付の図面を参照しながら更に説明される。
【図１】本発明の一実施形態に係る検出装置の概略図である。
【図２】本発明の一実施形態に係る光学部及びマスキング部の概略図である。
【図３】本発明の一実施形態に係る検出装置の斜視図である。
【図４ａ】本発明の一実施形態に係る光学モジュールの斜視図である。
【図４ｂ】図４ａの光学モジュールの分解図である。
【図５ａ】本発明の一実施形態に係るマスキング部の斜視図である。
【図５ｂ】図５ａのマスキング装置の側面図である。
【図５ｃ】図５ａのマスキング装置の正面図である。
【図６ａ】光学部の概略図である。
【図６ｂ】図６ａの光学部及び本発明の一実施形態に係るマスキング部の概略図である。
【図６ｃ】図６ａの光学部及び本発明の一実施形態に係る代替マスキング部の概略図である。
【図７ａ】光学部を示す図である。
【図７ｂ】図７ａの光学部に関連付けられる検出ゾーンを示す図である。
【図７ｃ】図７ａの光学部及びマスキング部を示す図である。
【図７ｄ】図７ｃのマスクされた光学部に関連付けられる検出ゾーンを示す図である。
【図８】本発明に係る方法を示すフローチャートである。
【発明を実施するための形態】
【００１５】
上述したように、ペットを侵入者として登録することを避けるために下方の検出ゾーンをブロックすることは、例えばブロックされていない領域のレベルより下を這うことで侵入者が検出を免れ得る「デッドゾーン」をもたらす。上述したように、検出のための閾値を増加させることは、装置の電子工学上の複雑さを増大させることになり、ペットが発見される可能性の高い検出ゾーンだけでなく、検出器に関連付けられる全ての検出ゾーンに影響を与えることがある。人間と動物とを区別するためにアルゴリズム及び／又は追加のセンサーを用いることは、複雑さの増大を必要とし、エラー（誤検出又は検出漏れ）の原因となり得る。
【００１６】
図１の赤外線検出装置１００は、赤外線検出部１０５と、複数の光学素子１１０ａ−１１０ｃを含む。赤外線検出部は焦電センサーとするのがよく、光学素子１１０はフレネルレンズとするのがよい。各光学素子は、対応する検出ゾーン１１５ａ−１１５ｃからの赤外線放射を赤外線検出部１０５に向ける。マスキング部１２０は、１つ以上の光学素子を部分的にマスクするように設けられる。図１では、光学素子１１０ａ及び１１０ｂはマスキング部１２０によってマスクされず、光学素子１１０ｃはマスキング部１２０によって部分的にマスクされることで、検出ゾーン１１５ｃからの赤外線放射はマスキング部１２０によって減衰されるが、検出ゾーン１１５ａ及び１１５ｂからの赤外線放射はマスキング部１２０によっては減衰されない。
【００１７】
各光学素子１１０から赤外線検出部１０５に向けられる赤外線放射は、１２５ａ−１２５ｃによって示される。光学素子１１０ａ及び１１０ｂからの赤外線放射１２５ａ，１２５ｂは、マスキング部１２０によっては減衰されないのに対して、検出ゾーン１１５ｃから光学素子１１０ｃを経る赤外線放射１２５ｃは、マスキング部１２０によって減衰される。マスキング部１２０の存在により、１３０として概略的に示される赤外線放射の一部は、検出部１０５に到達しない。マスキング部１２０がない場合には、赤外線放射の一部１３０は、検出部１０５に到達することになる。
【００１８】
この配置によれば、ゾーン１１５ｃにおける検出感度は、検出ゾーン１１５ａ及び１１５ｂにおける検出感度に影響を与えることなく、減少する。さらに、ゾーン１１５ｃからの赤外線放射の検出は、依然として可能である（例えば「デッドゾーン」は生成されない）。
【００１９】
図１の配置は、部分的にマスクされた光学素子に対応する検出ゾーンにおける小さな赤外線源の不所望な検出の発生を減少させるために、侵入検出システム又は他の検出システムに使用することができる。例えば、侵入検出システムにおいて、マスキング部１２０は、ペットや他の小動物が想定され得る下方の検出ゾーン（例えば床と交差するゾーン）をマスクすることができる。ペットや小動物は、成人よりも低出力の赤外線放射を有するため、マスキングの度合いを適切に選択することにより（例えば、検出部１０５における赤外線放射を、アラームをトリガさせる閾値レベル未満にまで減少させることにより）、検出ゾーン１１５ｃから検出部１０５に到達する赤外線放射を減少させて、ペットの赤外線出力が検出事象として登録するには不十分となるようにすることができる。対照的に、人間の侵入者は通常、ペットや小動物よりも高赤外線出力を有するため、マスキング部１２０の存在に関わらず、検出ゾーン１１５ｃにおける人間からの赤外線出力は検出事象として登録するのに十分となるようにマスキングを選択することができる。従って、図１の配置は、侵入検出システムに適用して、１つ（以上）の選択された検出ゾーンにおけるペットや小動物の検出はない（又はアラームがトリガされることはない）が、それでも、その（又はそれらの）ゾーンにおける人間を検出することができる。更に、他のゾーンはマスキングの影響を受けないので、これらの他のゾーンにおいては感度は減少しない。
【００２０】
図２は、光学素子１１０ｃを部分的にマスクするマスキング部１２０の一例を示す。この例では、マスキング部は、光学素子１１０ａ又は１１０ｂをマスクせず、かつ、光学素子１１０ｃの一部１１２ｃをマスクしないままにする。したがって、光学素子１１０ａ及び１１０ｂからの、検出部１０５で受光される赤外線放射は、減衰されない。図２に示される配置によると、マスキング部は、本質的に赤外線放射に対して不透明であり、そのため、検出ゾーン１１５ｃにおける赤外線放射は、光学素子１１０ｃのマスクされた部分は通らず、光学素子１１０ｃの一部１１２ｃのみを経て検出部１０５に到達する。
【００２１】
光学素子１１０ｃからの赤外線放射のマスキング部１２０による減衰は、マスキング部１２０が光学素子１１０ｃの実効面積（表面面積）を減少させることによる。光学素子がフレネルレンズである場合、例えば、レンズの面積は光学利得に比例し、そのため、マスクされるレンズの割合は減衰の度合いに相当する。
【００２２】
図２は、赤外線放射に対して不透明であり光学素子を部分的に覆うマスキング部を有する配置を示している。しかしながら、検出ゾーン１１５ｃからの赤外線放射の減衰は、様々な方法で達成することができる。例えば、光学素子の材質又は厚みは変更してもよく、光学素子の全面積を覆って光学素子全体を通る赤外線放射を減衰させる、赤外線放射に対して半透明な部材を設けてもよい。これは、半透明部材の製造時に、減衰の度合いに影響を与え得るため、その部材の組成に高度な一貫性を必要とする。
【００２３】
図２に示す配置は、不透明マスキング部１２０を有するので、光学素子のマスクされる一部を制御することで減衰の度合いを正確に制御することができる。標準のツーリング方法で、マスキング部１２０を正確に成形することができ、光学素子のマスク領域、従って、マスキング部１２０により達成される減衰の度合いを非常に良好に制御することができる。図２の配置では、マスキング部の透光性のレベルを正確に制御（例えば、マスクの素材がその素材を通過する赤外線放射を減衰させる度合いを制御）する必要はなく、その結果、組み立ての容易性及び信頼性が向上し得る。
【００２４】
図１は、光学素子１１０ｃと検出部１０５との間、即ち、光学部の「背後」に位置付けられたマスキング部１２０を示し、これにより、光学素子１１０ｃによって検出部１０５の方に伝達される赤外線放射は、マスキング部１２０に突き当り、部分的に遮られる。しかしながら、マスキング部は、代わりに光学部の「前に」配置することで、検出ゾーン１１５ｃからの赤外線放射が、マスキング部に突き当り、部分的に遮られるようにすることもできる。
【００２５】
図１及び２は、光学素子１１０ｃと接触し、又は近接するマスキング部１２０を示しているが、マスキング部１２０は、代わりに光学素子１１０ｃから離してもよい。マスキング部１２０が実質的に光学素子１１０ｃと接触している場合には、光学素子１１０ｃとマスキング部１２０との位置合わせが簡単になる。
【００２６】
マスキング部１２０は、取り外し可能とすることができる。これは、動作条件に応じてマスキング部を使用したり検出装置から取り外したりできるため、装置の柔軟性を向上させる。例えば、マスキング部１２０は、検出装置が、ペットのいない場所や小動物の検出が望まれる場所における侵入検出システムに使用され、どの検出ゾーンの感度も減少させる必要が無い場合には、省くことができる。マスキング部１２０が取り外し可能な場合、マスキング部を選択でき、様々な検出ゾーンからの赤外線放射の減衰を調整することができる。例えば、短毛の犬は同じ大きさの長毛の犬よりも多くの赤外線放射を発する。マスキング又は減衰を異なる度合いとすることは、特定のペットの検出（例えば特定のペットがトリガするアラームの検出）を避けながら、感度の不必要な低減を避けるために望まれることである。これは、ペットの種類及び大きさに適したマスキング部を選択及び取り付けることで、達成可能である。マスキング部又はマスキングの度合いを選択するとき、他の要因、例えば背景の熱特性を考慮することもできる。例えば、カーペットはタイルより高い背景温度を生み出す傾向があり、マスキング部に必要とされる減衰の度合いに影響を与える。取り外し／取り替え可能なマスキング部は、様々な減衰のパターンも許容し得る。
【００２７】
いくつかの配置では、１つ以上の部分的にマスクされる光学素子に加えて、１つ（以上）の光学素子がマスキング部によって完全にマスク（又はブロック）されてもよく、それにより、対応する検出ゾーンからの赤外線放射は、ブロックされた検出素子を経て検出部１０５に到達しなくなる。
【００２８】
光学素子１１０は、レンズでもよく、いくつかの実施形態ではフレネルレンズ又はフレネルレンズの一部（フレネルファセット）でもよい。フレネルレンズが用いられる場合、不透明マスキング部１２０によるレンズの部分的マスキングは、対応する検出ゾーンの形状又は領域に影響を与えない。これにより、対応する検出ゾーンの空間的広がりを減少させることなく、検出素子を部分的にマスクするための赤外線不透明マスキング部を使用できる。
【００２９】
図３は、本発明の一実施形態と共に用いる検出装置の分解図である。検出装置は、検出装置の構成要素を保持及び保護するためのハウジング３５０ａ及び３５０ｂを含む。回路基板３６０はハウジング３５０内に設けられ、焦電センサー３０５を含む。回路基板は、焦電センサー３０５に電力を供給し、焦電センサー３０５から信号を受信する他の構成要素を更に含んでもよい。回路基板は、焦電センサー３０５からの信号を、例えば閾値と比較することで、評価又は処理する処理コンポーネントを含んでもよい。他のコンポーネント、例えば単位の設定を変更するためのＤＩＰスイッチ、及び／又は改ざんの保護／検出コンポーネントを設けることもできる。検出装置、及び特に回路基板３６０の電力は、例えば幹線電力等の外部電源、バッテリーやキャパシター等の内部電源、又はこれらの組み合わせからのものであってよい。
【００３０】
本実施形態のセンサー３０５は、他のセンサーの配置も可能であるが、直列に対向して接続された一組の焦電素子を含む。各光学素子にとって、マスキングは、その光学素子からの赤外線放射の減衰の度合いが、両方の対向する焦電素子で等しくなるようにするのがよい。光学素子のマスキングが両方の対向する焦電素子で等しい場合、誤検出及び検出漏れの可能性が低くなり得る。マスキング部を本質的に光学素子に接触するように設けることで、光学素子から受光する赤外線放射に対して、両方の対向する焦電センサーに等しい減衰の度合いを与える助けとなり得る単純な構造が提供される。
【００３１】
光学モジュール３７０は、光学素子を含み、赤外線放射が光学素子によって各検出ゾーンから焦電センサー３０５の方に向けられるように配置される。本実施形態では、光学素子はフレネルファセットである。
【００３２】
図４ａは、光学モジュール３７０の背面図を示し、図４ｂは、光学モジュール３７０の分解図を示す。光学部３７５は、複数のフレネルファセットを含み、それぞれ光学素子を形成し、適切なプラスチックの成形によって製造することができる。マスキング部３２０は、光学部３７５に対して適合するように形成され、保持部材３７２によって所定の位置に保持される。保持部材は、一体的に、恒久的に、又は取り外し可能にハウジング３５０ｂに取り付けられる。本実施形態によると、マスキング部３２０は、光学素子１１０の背後、即ち、光学素子１１０と焦電センサー３０５との間に存在する。
【００３３】
本実施形態のマスキング部３２０は、図５に示される。マスキング部は、本質的に、赤外線放射に対して不透明である。マスキング部は、例えば、実質的に全ての入射する赤外線放射を吸収するプラスチック又は樹脂から成形されてもよいし、赤外線不透明コーティング（適切な塗装等）を有してもよい。図５ａは、マスキング部３２０の斜視図を示し、図５ｂ及び５ｃはそれぞれ側面図及び正面図を示す。マスキング部は、複数の孔又は空隙３２５を含む。マスキング部３２０が光学部３７５に対して正しく位置付けられると、マスキング部はフレネルファセットの一部を部分的にマスクする。本実施形態によると、孔３２５は、フレネルファセットのマスクされていない一部に対応する。マスキング部の形状は、所定のフレネルファセットの所定の一部がマスクされるならば、特に限定されない。図５の配置は、スロット形状の孔を有するため、比較的製造が簡単であるという利点を有する。１つの孔は、２つ以上のフレネルファセットのマスクされていない一部に対応してもよい。
【００３４】
図６は、マスキング部によるフレネルファセットのマスキングパターンの簡単な例を示す。図６ａは、マスクされていないフレネルファセットの６つの行６１０−１から６１０−６の簡単な配列を示す。図６ｂは、フレネルファセットの上に重ねたマスキング部６２０を示す。この例示マスキング部は、２つのスロット（又は孔、空隙等）６２５を有する。行６１０−１及び６１０−２は、マスキング部６２０によってマスクされていない。行６１０−６は、マスキング部６２０によって完全にマスクされており、それにより、赤外線放射が行６１０−６を経て検出部に供給されることはない。行６１０−３、６１０−４及び６１０−５は、マスキング部６２０によって部分的にマスクされており、それにより、これらの行を経て検出部に到達する赤外線はマスキング部６２０によって減衰される。孔６２５ａは、行６１０−５の一部の上に位置している。孔６２５ａは、他のどの行の上にも位置していない。従って、孔６２５ａを経て検出部に到達する赤外線放射は、行６１０−５におけるフレネルファセットによってのみに集束される。孔６２５ｂは、行６１０−３の一部及び行６１０−４の一部の上に位置する。従って、孔６２５ｂを経て検出部に到達する赤外線放射は、行６１０−３及び６１０−４におけるフレネルファセットを通る。いくつかの実施形態によると、マスキング部における孔（又は他の空隙、空孔、間隙）は、単一の光学素子を部分的に露出させてもよく、複数の光学素子を部分的に露出させてもよい。光学素子の他の配置は、孔によって部分的に露出させてもよく、孔は直線状である必要はない。光学素子に対するマスキング部（及びそこにおける任意の孔）の形状、向き及び位置合わせは、特に限定されず、光学素子の位置及び各素子に必要とされるマスキングの度合いに基づいてもよい。マスキング部は、赤外線に不透明な一部及び赤外線に透明な一部を有してもよく、例えば、代替実施形態では、図６ｂのマスキング部と同じパターンを有するマスキング部が、一部６２５ａ及び６２５ｂを塗装せずに赤外線に透明なままとした赤外線不透明塗装のパターンを表面に備える、赤外線に透明な素材から製造されてもよい。
【００３５】
図６ｂのマスキングは、少なくとも１つの光学素子（例えば光学素子６１０ａ）の検出ゾーンからの赤外線放射は減衰されるが完全にはブロックされないようにするため、光学素子６１０ａの検出ゾーンからのある程度の赤外線放射は光学素子６１０ａを経て検出器に到達することができる。
【００３６】
所望のマスキングパターンを提供するための孔又は空隙を有する不透明マスキング部は、簡単な構造を提供し、正確な減衰レベルを生成することを可能にする。
【００３７】
図６ｃは、他のマスキング部６２０’の例を示す。マスキング部６２０’は、図６ｂのマスキング部６２０と類似し、図６ｂと同様、行６１０−１がマスクされず、行６１０−６が完全にマスクされ、行６１０−３、６１０−４及び６１０−５が部分的にマスクされている。図６ｃのマスキング部６２０’は、行６１０−２も部分的にマスクされる点で、図６ｂのものと異なる。この配置では、行６１０−２のマスクされていない一部に対応するマスキング部６２０’には、追加の孔又は空隙は存在せず、行６１０−２のマスクされていない一部はマスキング部６２０’の縁を超えた領域に相当し、行６１０−２のマスクされた一部はマスキング部６２０’の赤外線不透明領域に相当する。
【００３８】
図７ａは、図３の実施形態と共に使用可能なマスクされていない光学部７７０の一例を示す。光学部は、本例ではフレネルファセットである複数の光学素子７１０を含む。本実施形態では、光学素子が形成されていない一部７１２も存在するが、これらは必須のものではない。フレネルファセットとフレネルファセットのない一部との配置により、検出ゾーンのパターンが生成される。当業者に理解されるであろうが、フレネルファセット、例えば各フレネルマスター（Fresnel master）の中心、の特性も、検出ゾーンのパターンに影響を与える。この例では、光学素子は、行７１０−１から７１０−７に配置され、行７１０−１は最上部の検出ゾーンに対応し、行７１０−７は最下部の検出ゾーンに対応する。図７ｂは、検出ゾーンの上面図及び側面図を示す。上面図（水平方向の範囲）では、フレネルファセットの最上行７１０−７に対応する検出ゾーンが検出器から（水平に）最も遠くまで広がり、連続するフレネルファセットのより下方の行は、対応する検出ゾーンが、（本例では、少なくとも一部が床と交差することによって）それ相当により短い水平広がりを持つ。側面図（垂直方向の範囲）は、行７１０−１から７１０−７にそれぞれ対応する検出ゾーン７１５−１から７１５−７を示す。
【００３９】
本実施形態は、図３について上述したように、一組の焦電素子を含む。この配置は、各フレネルファセットに関連付けられる一組の視野を生成し、視野の各組は検出ゾーンを形成する。これらの視野の組は、図７ｂに見ることができる。
【００４０】
図７ｃは、マスキング部７２０によるマスキングを示しながら、図７ａの光学部７７０を示す。マスクされた光学部３７５が図７ｃの左側に示され、参考のために、マスクされていない光学部３７５が図７ｃの右側に示される。本実施形態のマスキング部７２０は、線７５０に対して左右対称であり（マスキング部７２０の右側は図示されていない）、図７ｃの右側のマスキングは、左側と同様である。本実施形態のマスキング部は、赤外線に不透明である。行７１０−１はマスクされておらず、そのため、この行に関連する検出ゾーンはマスキング部７２０の存在によって影響を受けない。行７１０−２から７１０−６までは、マスキング部７２０によって部分的にマスクされるため、これらの行に対応する検出ゾーンから受光される赤外線放射は、マスキング部が存在しない図７ａ及び７ｂの場合と比べると、減衰される。行７１０−７はマスキング部によってブロックされ（完全にマスクされ）るため、この行の光学素子を経て検出器に到達する赤外線放射は存在しない。
【００４１】
図７ｄは、図７ｃに示したマスキングによってもたらされる検出ゾーンを示す。側面図（垂直方向の範囲）から分かるように、行７１０−７はブロックされる（完全にマスクされる）ため、行７１０−７に対応する検出ゾーンは存在しない。図７ｃには示していないが、検出ゾーン７１５−２から７１５−６までからの赤外線放射はマスキング部によって減衰される。場合によっては、マスキング部による減衰は、検出ゾーンの範囲の縮小を引き起こすことがある。ここで、範囲とは、検出装置から水平計測により侵入者が検出され得る検出装置からの有効距離を意味する。しかしながら、装置の設置時または使用時に床と交差する検出ゾーンに関しては、マスキング後の範囲が床と交差するまでの距離を超える場合、マスキング後の検出ゾーンは依然として床まで広がり実用上は変わらないため、マスクされる検出ゾーンの範囲の縮小は重要ではない。これは、図７ｄに示される場合であり、検出ゾーン７１５−２から７１５−６はマスキング後でも床まで広がり、検出ゾーン７１５−１はマスクされていない。したがって、これらの検出ゾーンは、図７ｂ及び７ｄにおいて同じである。図７ｄの検出ゾーン７１５−２は、例えば、（検出装置が床面から２．４ｍの高さに設置された場合、）検出装置から１０ｍに及ぶことに留意されたい。多くの家庭用途にとって、（例えば５ｍ×５ｍの部屋では）１０ｍの検出範囲は必要ではなく、この場合、検出ゾーンの範囲をマスキングにより１０ｍ未満（例えば部屋の対角線の長さまで）に縮小させることが許容され得る。
【００４２】
マスキング又は減衰の度合いは、各光学素子の間又は光学素子の行の間で変えることができる。より下方の光学素子、又はより下方の検出ゾーンに対応する光学素子は、より強く減衰／マスクするのがよい。
【００４３】
図７ｃの行７１０−３の中心部で部分的にマスクされる光学素子を考察すると、それぞれ第１及び第２の実質的に垂直な方向に沿って部分的にマスクされる光学素子が存在することが分かる。例えば、行７１０−５の中心の光学素子と、行７１０−３の他の任意の光学素子がある。使用時には、行７１０−３における中央素子の検出ゾーンより下方の検出ゾーンを有する少なくとも１つの部分的にマスクされる光学素子（例えば、行７１０−４から７１０−６までにおける何れかの光学素子）と、行７１０−３の検出ゾーンと実質的に水平なレベルの検出ゾーンを有する少なくとも１つの部分的にマスクされる検出素子（例えば、行７１０−３における他の何れかの光学素子）とが存在する。行７１０−３における中央素子の検出ゾーンより上方の検出ゾーンを有する、マスキング部によってマスクされていない少なくとも１つの光学素子（例えば、行７１０−１の何れかの素子）が存在する。行７１０−３の中央素子より上方の少なくとも１つのマスクされていない光学素子（即ち、行７１０−１の中央素子）が存在する。
【００４４】
図７ｃの実施形態では、行７１０−７のブロックされた光学素子は、使用時には、部分的にマスクされた光学素子（例えば、行７１０−２から７１０−６）の検出ゾーンよりも下方の検出ゾーンを有する。行７１０−７におけるブロックされる光学素子は、（検出器の設置時／使用時には、）部分的にブロックされる光学素子より下方に位置する。
【００４５】
本願の発明者は、図７ａ及び７ｂに示す赤外線検出器にとっては、部分的にマスクされるとした各光学素子に対して、人間とペットとを区別するためには、多くの場合、マスキング割合を６０％超とする必要があり、そのうち多くの場合、マスキング割合を７０％超とする必要があることを見出した。多くの用途にとっては、９０％までのマスキングが良好な結果をもたらすことを見出した。ここで、マスキング割合とは、マスクされる光学素子の面積の割合である。
【００４６】
マスキング部による各光学素子の減衰量を考察すると、０％では減衰せず、１００％では（その光学素子によって）全く透過せず、６０％から９０％では多くの用途にとって良好な結果が得られることを見出した。減衰量が７０％から９０％の範囲内では、いくつかの用途では改善された結果が得られることを見出した。
【００４７】
異なる減衰のレベル及びパターンを有するマスキング部の集合が、キットとして提供され得る。キットは、検出装置の他のコンポーネント（例えば図３のコンポーネント）、例えば、光学部、ハウジング、回路基板等、を含んでもよい。マスキング部は、使用／設置の後に取り外し可能に配置されてもよい。
【００４８】
一実施形態に係る赤外線検出装置の改良方法は、マスキング部を取り付けることで複数の光学素子のうちの第１光学素子を部分的にマスクして、第１光学素子の第１部分が赤外線放射に不透明なマスキング部の一部によりマスクされるようにするステップを含む。
【００４９】
図８は、更なる実施形態に係る赤外線検出装置の改良方法８００を示す。本方法はステップ８１０で開始し、ステップ８２０では、異なるマスキング度合いが必要とされるか、又は所望されるか否かが決定される。マスキングの度合いの変更が必要とされない場合には、本方法はステップ８７０で終了する。異なるマスキング度合いが必要とされる場合には、本方法はステップ８３０に進み、マスキング部が既に使用中（例えば、設置されている、又は取り付けられている）か否かが決定される。マスキング部が使用されていない場合、ステップ８６０で新たなマスキング部が検出装置に挿入され／取り付けられ、或いは適用され、本方法はステップ８７０で終了する。一方、マスキング部が既に使用中の場合、ステップ８４０でそのマスキング部が取り除かれ、ステップ８５０でマスキング部が必要又は所望されるか否かが決定される。例えば、ペットがもはや居ない場合、検出ゾーンをマスキング又は部分的にマスキングし続けることは不要であり、不所望である。マスキング部が必要ない場合、本方法はステップ８７０で終了する。マスキング部が必要な場合、ステップ８６０で新しい又は異なるマスキング部が選択され検出器に適用される（例えば、設置される、又は取り付けられる）。そして、本方法はステップ８７０で終了する。
【００５０】
図８の方法は、設置されたマスキング部の適合性をテストし、必要に応じて本方法を繰り返すことで、使用されるマスキング部を選択するために反復的に繰り返されてもよい。図８の方法は、検出装置の設置時に実行されてもよく、その後、例えば環境や装置から要求される性能に変化がある場合に、実行されてもよい。いくつかの実施形態では、マスキング部は、以前から存在するマスキング部の取り外しが不要となるように配置することができる。例えば、組み合わせで使用することができる補足的なマスキング部を設けることができる。図７の実施形態におけるこのような配置の一例では、光学素子の各行に独立したマスキング部を設けることができる。これにより、光学素子の各行に適用されるマスキング部を個別により良く制御することができる。
【００５１】
上述の実施形態では、光学素子としてフレネルファセット（又はフレネルファセットの一部）の例を用いた。しかしながら、本発明はこれに限定されず、任意の好適な光学素子を使用することができる。例えば、円柱レンズ等の他の種類のレンズを使用することができる。フレネルファセットは、不透明マスキング部がフレネルファセットを部分的にマスクするのに用いられるときに、対応する検出ゾーンの形状が影響を受けないという利点を有する。
【００５２】
種々の構成要素の材質及び製造方法は特に限定されない。ハウジング３５０ａ、３５０ｂ及び光学モジュール３７０の素子（光学素子を含む）は、成形されたプラスチックでもよい。
【００５３】
例示した光学部及びマスキング部は、実質的に対称であったが、必ずしもそうである必要はない。更に、実施例は行にグループ分けした光学素子を示しているが、他の配置やグループ分けも可能である。
【００５４】
マスキング部は、赤外線不透明部分に加え、赤外線半透明部分を含んでもよい。しかしながら、少なくとも１つの部分的にマスクされる光学素子のマスキングは、マスキング部の赤外線不透明部分のみによることが好ましい。
【００５５】
検出装置は、検出又は検出状態（例えば正又は誤）を示す信号を、外部のプロセッサ又は外部のアラームに供給してもよい。或いは、検出が生じたか否かの判断をするための処理を外部でするために、「生」信号が検出装置から渡されてもよい。検出装置はプロセッサ及び／又はアラームを含んでもよい。
【００５６】
本明細書の実施形態は、侵入検出装置、特にペットや小動物による誤ったアラームを避けるように配置された侵入検出装置に関して説明してきた。しかしながら、本発明は、侵入検出装置に限定されず、検出ゾーンからの赤外線放射の選択的な減衰が所望される他の用途の赤外線検出器に使用することができる。
【００５７】
本願の明細書及び特許請求の範囲の全体を通して、「備える」、「含む」及びこれらの変化形は、「含むも、限定されない」を意味し、これらは、他の部分、付加的なもの、コンポーネント、完全なもの又はステップを排除することを意図していない（かつ排除しない）。本願の明細書及び特許請求の範囲の全体を通して、文脈上他に要求されない限り、単数形は複数形を含む。特に、不定冠詞が用いられるところでは、文脈上他に要求されない限り、本願は単数形と同様に複数形も考慮していると理解されたい。
【００５８】
本発明の特定の態様、実施形態又は実施例と共に説明した特性、整数、特徴、化合物、化学成分又は化学基は、両立し得ないものを除き、本明細書で説明した他の任意の態様、実施形態又は実施例に適用可能であると理解されたい。本明細書（添付の特許請求の範囲、要約書及び図面を含む）に開示された全ての特徴、及び／又は、同開示された任意の方法又はプロセスの全てのステップは、このような特徴及び／又はステップの少なくともいくつかが相容れない組み合わせを除き、任意の組み合わせで組み合わせることができる。本発明は、上述の任意の実施形態の細部に限定されない。本発明は、本明細書（添付の特許請求の範囲、要約書及び図面を含む）に開示された特徴の任意の新規なもの又は任意の新規な組み合わせにまで及び、また、同開示された任意の方法又はプロセスにおけるステップの任意の新規なもの又は任意の新規な組み合わせにまで及ぶ。
【００５９】
読者の注意は、本願と関連する明細書と同時に又は以前に出願され、かつ本明細書と共に公衆の閲覧に供されている全ての論文及び文献に向けられ、このような全ての論文及び文献の内容は、参照により本明細書に組み込まれる。
【図１】
0006306037.tif 000002
【図２】
0006306037.tif 000003
【図３】
0006306037.tif 000004
【図４ａ】
0006306037.tif 000005
【図４ｂ】
0006306037.tif 000006
【図５ａ】
0006306037.tif 000007
【図５ｂ】
0006306037.tif 000008
【図５ｃ】
0006306037.tif 000009
【図６ａ】
0006306037.tif 000010
【図６ｂ】
0006306037.tif 000011
【図６ｃ】
0006306037.tif 000012
【図７ａ】
0006306037.tif 000013
【図７ｂ】
0006306037.tif 000014
【図７ｃ】
0006306037.tif 000015
【図７ｄ】
0006306037.tif 000016
【図８】
0006306037.tif 000017